(57)【特許請求の範囲】
【請求項１】
雄部材の雄爪部と雌部材の雌爪部とによる咬合及び離脱の機構を備えるプラスチック包装袋のためのチャックであって、
雄爪部と雌爪部との咬合での接触部が、雄爪部及び雌爪部の一方若しくは両方の爪部長手方向に一列若しくは複数列に設けられる突部が相手方の爪部と線状接触して、突部の周辺領域が爪部の長手方向に一定の幅で帯状の接触からなる面接触して、線状接触と面接触とが連続した接触面の接触構造を有すること、を特徴とするチャック。
【請求項２】
雄部材の雄爪部と雌部材の雌爪部とによる咬合及び離脱の機構を備えるチャックが付けられているチャック付きプラスチック包装袋であって、
（ａ）チャックは、雄爪部と雌爪部との咬合での接触部が、雄爪部及び雌爪部の一方若しくは両方の爪部長手方向に一列若しくは複数列に設けられる突部が相手方の爪部と線状接触して、突部の周辺領域が爪部の長手方向に一定の幅で帯状の接触からなる面接触して、線状接触と面接触とが連続した接触面の接触構造を有すること、を特徴とするもので、
（ｂ）プラスチック包装袋は、気体不透過性のプラスチックフィルムを基材フィルムとするものであること、を特徴とするチャック付きプラスチック包装袋。
【請求項３】
前記接触部は、線状接触が面接触内に位置して、かつ、線状接触と面接触とが連続する接触面を構成する接触構造になっていること、を特徴とする請求項１に記載のチャック。
【請求項４】
前記突部が、雌爪部にのみ設けられていること、を特徴とする請求項１若しくは３に記載のチャック。
【発明の詳細な説明】
【０００１】
【発明の属する技術分野】
本発明は、プラスチック包装袋に付けられるチャック及びそれを利用したチャック付きプラスチック包装袋に関する。
【０００２】
【従来の技術】
プラスチック製のチャックは、開閉及びその繰り返しが容易であるところから多様な用途の実用的なプラスチック包装袋（以下において、包装袋と略称することがある）に付けられている。チャックは、ジッパ−若しくは咬合による開閉機構を備えているが、多くが咬合によるものである。
【０００３】
図７は、従来のチャック付き包装袋の説明図であって、包装袋７０は、その開口の幅内側の長さ全体（図７の符号がＬで示す長さ）にチャック７１が設けられている。
【０００４】
図８は、包装袋７０に設けられる咬合型のチャックの斜視図であって、チャック８０は、雄部材８１の雄爪部８１ａと、雌部材８２の雌爪部８２ａ、８２ａと咬合及び離脱によって開閉する構造になっている。チャック８０は、雄部材８１及び雌部材８２の基部８１ｃ、８２ｃが包装袋７０の基材フィルムにヒ−トシ−ル（熱融着）されて固着されている。
チャック８０が雄雌爪部８１ａ、８２ａ、８２ａにより閉じる機構は、咬合、嵌合、係合若しくはロック等の用語で表現されるが、それらは技術的同義に使用されている。本明細書においては「咬合」の用語を使用する。また、チャック７１、８０は、咬合具、嵌合具若しくは係合具等の用語で表現されることがあるが、いずれも技術的同義に使用されている。本明細書においては「チャック」の用語を使用する。
【０００５】
図９は従来提案されている他のチャックの側断面図であって、チャックは、雄部材９０の雄爪部９０ａと雌部材９１の雌爪部９１ａ、９１ａとが、部分的に接触して咬合する構造になっている。
【０００６】
図１０も従来提案されている（特開平９−３７８１６号公報等を参照）他のチャックの側断面図であって、チャックは、雄部材１００の雄爪部１００ａの丸みを帯びた外形が、雌部材１０１の略同形の雌爪部１０１ａとに咬合する構造になっている。図１０に示すチャックは、一般的にはヒ−トシ−ル困難なポリエステル系の包装袋基材フィルムに中間層１０２、１０３を介在させる提案に関するものである。
【０００７】
図１１も従来提案されている他のチャックの側断面図であって、チャックは、
雄部材１１０に二列で立設の雄爪部１１０ａ、１１０ａが、それらの外側突出部で雌部材１１１の雌爪部１１１ａ、１１１ａに接触して咬合する構造になっている。
従来の一般的なチャックは、開閉の実用的円滑性の確保から、雄雌爪部の一部が接触咬合して密封性が劣る構造のものが殆どあった（例えば、図８、図９及び図１１等を参照）。また、チャックは、雄雌部材が異型押出し成形法により成形されるので、異型押出し成形法による成形加工が可能で、ヒ−トシ−ルが容易な熱可塑性プラスチックから雄雌部材が成形されている（特開平９−３７８１６号公報等を参照）。
【０００８】
一方、包装袋は、冷凍用保存袋及び電子レンジ加熱用袋等を代表として、耐熱性、耐寒性若しくはその他の特性を有する基材フィルム（例えば、ポリアミド（例えば、ナイロン１２）及びポリカプラミド（例えば、ナイロン６））の使用が汎用化する傾向にあって、従来のチャックでは包装袋基材フィルムへのヒ−トシ−ルが困難になっていた。
【０００９】
そのために、チャックについての開発は、ヒ−トシ−ル困難な基材フィルムとの固着手段の改良に向けられていて（特開平９−３７８１６号公報、特開平９−１５６６４６号公報、特開平９−９４９３１号公報、特開平９−２１６６４２号公報等を参照）、密封性を必要としない商品の包装袋にチャックを付けるのが一般的であった。そのような状況に対して、液体遮断性を可能にするチャックが検討されて提案されるに至っている（第２９３８７８号特許公報を参照）。
【００１０】
図１２は、液体遮断性が高いチャックの側断面図（第２９３８７８号特許公報第５頁図１を参照）であって、チャックは、雄部材１２０に立設の二列の雄爪部１２０ａ、１２０ａが押しつけリブ１２０ｂにより押されて雌爪部１２１ａ、１２１ａに強く接触して咬合する構造になっている。
図１２に示すチャックは、そのチャック付き包装袋に水を充填して３０ｃｍの高さから落下させる実験では、水が外部に漏れないとされている（第２９３８７８号特許公報第４頁の実施例及び表１を参照）。
ただし、図１２に示すチャックは、咬合に際して雄爪部１２０ａ、１２０ａの全体が変形するので、チャックの開閉の繰り返しによって、雄爪部１２０ａ、１２０ａに歪みが生ずる可能性がある。
【００１１】
そして、従来にあっては、液体遮断性を実現したチャック図１２（第２９３８
７８号特許公報を参照）であっても、雄爪部と雌爪部の接触部での接触機構について何らの検討が行われておらず、線接触若しくは面接触のいずれかであれば、目的の密封性（密封性）が得られる旨が示唆されているだけである（第２９３８７８号特許公報第２頁を参照）。
【００１２】
【発明が解決しようとする課題】
技術の進展によって、気体不透過性が大きい基材フィルム（例えば、素材種類の選択若しくは積層化により気体不透過性を大きくしたフィルム等）の包装袋が普及して、気体不透過（一般的には、空気不透過）が必須の条件となる様々な商品（例えば、酸素の存在により品質劣化が生じる食品及医薬品等）に使用されている。
しかし、チャックの密封性は、液体遮断が限界であると考えられていて、チャックに気体遮断性を付与するという発想自体が存在せず、チャックの気体遮断性に関する何らの検討及び提案が行われていなかった。また、チャックの咬合に際しての雄雌爪部の接触機構の詳細についても検討が行われていなかった。
【００１３】
そこで、チャックの咬合に際しての雄雌爪部の接触機構の詳細が本発明者により検討されて、線状接触と面接触とが併存する場合にのみ気体遮断等の密封性を有するチャックが得られることが本発明で見いだされた。
【００１４】
第一の本発明は、各種気体に対する遮断性等の密封性を備えて、開閉を円滑に行うことが可能で、開閉を繰り返しによってもチャックの密封性が保持されて、しかも、製造が容易であって、包装袋の基材フィルムへのヒ−トシ−ルも容易であるチャックを提供すること、を目的とする。
第一の本発明は、包装袋をして気密容器にすることを可能にするチャックを提供すること、を目的とする。
【００１５】
第二の本発明は、外部環境から遮断した収納領域（代表的には、高気密性の収納領域）を有して、かつ、開閉が容易となるチャック付きプラスチック包装袋を提供すること、を目的とする。
【００１６】
【課題を解決するための手段】
第一の本発明（請求項１に記載の本発明）によるチャックは、雄部材の雄爪部と雌部材の雌爪部とによる咬合及び離脱の機構を備えるプラスチック包装袋のためのチャックであって、
雄爪部と雌爪部との咬合での接触部が、雄爪部及び雌爪部の一方若しくは両方の爪部長手方向に一列若しくは複数列に設けられる突部が相手方の爪部と線状接触して、突部の周辺領域が爪部の長手方向に一定の幅で帯状の接触からなる面接触して、線状接触と面接触とが連続した接触面の接触構造を有すること、を特徴とする。
【００１７】
第二の本発明（請求項２に記載の本発明）によるチャック付きプラスチック包装袋は、雄部材の雄爪部と雌部材の雌爪部とによる咬合及び離脱の機構を備えるチャックが付けられているチャック付きプラスチック包装袋であって、
（ａ）チャックは、雄爪部と雌爪部との咬合での接触部が、雄爪部及び雌爪部の一方若しくは両方の爪部長手方向に一列若しくは複数列に設けられる突部が相手方の爪部と線状接触して、突部の周辺領域が爪部の長手方向に一定の幅で帯状の接触からなる面接触して、線状接触と面接触とが連続した接触面の接触構造を有すること、を特徴とするもので、
（ｂ）プラスチック包装袋は、気体不透過性のプラスチックフィルムを基材フィルムとするものであること、を特徴とする。
&#26;
【００１８】
【発明の実施の形態】
第一の本発明のチャックは、前述の発明の構成からなるもので、咬合に際しての雄雌爪部による線状接触と面接触とが併存する接触部で接触して咬合する構造を備えている。
【００１９】
〔第一の本発明〕
本発明によるチャックの具体例を図１〜図６に基づいて説明する。なお、図１〜図６に図示する具体例は、本発明の好適な具体例ではあるが、本発明に包含される多様な具体例の一部の例示である。以下の各図において、同一符号を付したものは同一若しくは同等のものを示している。
【００２０】
図１は、本発明によるチャックの一例の側断面図であって、チャック１は、雄部材２の雄爪部２ａが、符号Ａ、Ａの位置において雌部材３の雌爪部３ａ、３ａに接触して、符号Ｂの位置で雌部材３の基部３ｂに接触して咬合する構造になっている。雄爪部２ａは、その外周全体のバランスした配置で雌部材３（雌爪部３ａ、３ａを含む）に接触咬合して不動状態が維持される。しかも、雄部材２及び雌部材３は、隙間４、４を介在させて咬合する構造にして咬合及び離脱を円滑にしている。
【００２１】
図２は、雄爪部と雌爪部との咬合時の接触部の一例の側断面の部分拡大説明図
であって、図１の符号Ａ、Ａに相当する箇所（すなわち、雄爪部と雌爪部との咬合での接触部）を部分的に拡大して示している。
図２に示す接触部２２は、雌雌爪部の咬合での接触に際して、雄爪部２０が雌爪部２１の突起２１ａに接触して、雄爪部２０がその粘弾性により変形して窪み２０ａ（咬合部若しくは嵌合部でもある）を生じて、突起２１ａと窪み２０ａとが密接咬合する。
突起２１ａは雌爪部２１の長手方向（図７の符号Ｌの幅全体）に線状に設けられていて、突起２１ａと窪み２０ａとが、雄雌爪部２０、２１の長手方向に線状接触する。突起２１ａの周辺領域の接触部２２は、雄爪部２０と雌爪部２１とが長手方向（図７の符号Ｌの幅全体）に一定の幅で帯状にして接触（すなわち、面接触）して咬合する。従って、接触部２２は、線状接触と面接触とが連続した接触面を有する接触構造で、かつ、線状接触が面接触内に配置される接触構造になっていて、それが爪部の長手方向全域に伸びている。
【００２２】
接触部２２は、線状接触が面接触内に配置される接触構造が望ましいが、それ以外の接触構造（例えば、線状接触と面接触とが連続して並ぶ接触構造）でも密封性が向上する。接触部２２が、線状接触と面接触とが併存する接触面を有する接触構造である場合には、気体遮断性等の密封性をチャックに付与し得ることが実験からも明らかになっている（後記載実施例１、３、４を参照）。
線状接触と面接触とが連続した接触面を有する接触構造の接触部２２は、それを可能にする物性（特に力学的物性）を有する熱可塑性プラスチックにより雌雌爪部を含む雌雌部材を成形する必要がある。
【００２３】
図３も、咬合状態の雄爪部と雌爪部との接触部の他の一例の側断面の部分拡大説明図であって、図３に示す接触部は、雌爪部３０に二列の突部３０ａ、３０ａが設けられて、対応する雄爪部３１の窪み３１ａ、３１ａと線状接触する接触構造になっている。図３の接触部は、二列の線状接触が面接触内に配置されて、それらが連続する接触構造になって気体遮断性等の密封性も大きくなる。
本発明の「突部」は、雄雌部材の咬合離脱が円滑に行い得るならば、二列を越える複数であることも可能である。
【００２４】
図４も、本発明によるチャックの他の一例の側断面図であって、チャック４０は、雄部材４１の雄爪部４１ａ、４１ａが、符号Ａ、Ａの位置で雌部材４２の雌爪部４２ａ、４２ａに接触して符号Ｂ、Ｂの位置で雌部材４２の基部４２ｂに接触して咬合する構造になっている。雄爪部４１ａ、４１ａと雌爪部４２ａ、４２ａとは、符号Ａ、Ａの位置で図２若しくは図３と同様に接触咬合して、チャック４０をして、気体遮断性を有する密封性を備えるものしている。雄部材４１と雌部材４２との咬合離脱を円滑に行うことが可能であって、その咬合離脱の繰り返しによっても気体遮断性等の密封性が維持される。
【００２５】
図５も、本発明によるチャックの他の一例の側断面図であって、チャック５０は、雄部材５１に立設の二列の雄爪部５１ａ、５１ａの間に凸部５１ｂが立設されて、雄爪部５１ａ、５１ａと雌部材５２の雌爪部５２ａ、５２ａとの咬合に際して、凸部５１ｂによる押圧によって雄爪部５１ａ、５１ａを符号Ａ、Ａの位置で図２若しくは図３と同様に雌爪部５２ａ、５２ａに接触咬合する構造のものである。
チャック５０は、図示の状態からは、図１２に示すチャックの形態と近似しているが、実際的には、雄爪部５１ａ、５１ａは位置が安定する程度の凸部５１ｂにより軽い押圧（すなわち、図１２に示すチャックでは、液体遮断性が確保できない程度の押圧）で押されている。チャック５０は、その程度の軽い押圧であっても、接触部での気体遮断性を有する密封性が確保される。
【００２６】
図６も、本発明によるチャックの他の一例の側断面図であって、チャック６０は、雄爪部６１が、符号Ａ、Ａの位置で雌爪部６２の突起に接触して密接咬合して、全体でも接触咬合する構造になっている。チャック６０は、雄爪部６１と雌爪部６２とが全体で接触して咬合する構造になって気体遮断性を有することになる。
【００２７】
本発明での「突部」は、高い気体遮断性が得られて及び開閉の円滑性確保の点からは、雌爪部に設けるのが適しているが、雄爪部若しくは雌爪部と雄爪部との両方に設けても本発明による効果の享受が可能である。
本発明での「突部」は、その形態（例えば、高さ、形状）を、チャックの気体遮断性、雄雌爪部による咬合及び離脱の円滑性等から決めることが可能であって、例えば、突部の高さが爪部側断面の幅の０．３〜２５％程度の長さであることができる。本発明の「突部」は、咬合に際して負荷される力が雄爪部から雌爪部に向かう方向の場所に設けられる場合には、チャックの気体遮断性等の密封性の向上に有効である。
【００２８】
従来のチャックの雌雌部材は、包装袋基材フィルムに対してヒ−トシ−ルを有する熱的物性（代表的には、メルトインデックス等の熱溶融物性）を有する熱可塑性プラスチックの成形品であって、その成形素材には、低密度ポリエチレン、直鎖状低密度ポリエチレン、高密度ポリエチレン若しくはポリプロピレンが使用されている。
本発明のチャックの雌雌部材は、咬合に際しての密封性が得られる力学的物性と熱的物性を併有するという条件に合致する熱可塑性プラスチックから成形されている。力学的物性は、例えば、応力−ひずみの関係、咬合離脱の円滑性及び咬合の密封性に関係するゴム状弾性、咬合離脱の繰り返しに際してのチャックの密封性に関係するヒズミ回復及び応力緩和等である。
【００２９】
そのために、本発明のチャックの雌雌部材は、低密度ポリエチレン、直鎖状低密度ポリエチレン、高密度ポリエチレン及びポリプロピレン等の熱可塑性プラスチックを成形素材として使用する場合であっても力学的物性の点からも制約を受けるので、従来の雌雌部材の成形素材となり得る熱可塑性プラスチックの種類であっても本発明では使用できない場合があり得る。チャックの雌雌部材の成形素材を選定するにあたっては実験的に定める必要がある。
本発明のチャックの雌雌部材は、例えば、熱可塑性プラスチックの成形素材を選択するに際しては、実験的に目的に合う素材を選択して、その選択した素材に関する、圧縮強度（ＡＳＴＭＤ６９５）、曲げ強度（ＡＳＴＭＤ７９０）、引張り弾性率（ＡＳＴＭＤ７９０）及びねじり弾性率（ＡＳＴＭＤ１０４３）等の力学的物性から異なる種類の熱可塑性プラスチックでの目的に合う素材を選択することが可能である。力学的物性の点からは、例えば、直鎖状低密度ポリエチレンを雌雌部材の成形素材とすることが可能である。
【００３０】
本発明のチャックは、各種の形態の包装袋の開口部にヒ−トシ−ル等の手段により付けることが可能であって、例えば、図７の包装袋７０の従来のチャック７１に代えて使用される。本発明のチャックは、包装袋の形態については特に制約されることがない。
【００３１】
〔第二の本発明〕
第二の本発明によるチャック付き包装袋は、第一の本発明のチャックが気体バリヤ−性の基材フィルムからなる包装袋に付けられている。気体バリヤ−性の基材フィルムとしては、気体バリヤ−性の素材プラスチックをフィルム化した基材フィルムまたは／及びプラスチックフィルムの積層化により気体バリヤ−性が付与された基材フィルムが用いられる。なお、気体バリヤ−性の基材フィルムとしては、例えば、ポリエチレン、エチレン−酢酸ビニル共重合体、ポリプロピレン、ポリ塩化ビニル、ポリ塩化ビニリデン、ポリエステル、ナイロン、ビニロン、ポリスチレン及びその他のプラスチックの積層フィルムがある。積層フィルムは金属箔を積層していてもよい。チャックは、熱溶融法（例えば、ヒ−トシ−ル法、インパルスシ−ル法、溶断シ−ル法、超音波シ−ル法、高周波シ−ル法）若しくは接着剤法（例えば、接着剤法、感圧接着剤法、感熱接着剤法）により基材フィルムに設けられる。特に、本発明のチャックは、チャックの製造と製造したチャックの包装袋へのヒ−トシ−ルを同じ製造ラインで行うことが可能になる。
【００３２】
本発明によるチャック付き包装袋は、例えば、図７の従来のチャック７１に代えて本発明によるチャックが付けられている。本発明のチャック付き包装袋は、チャックの気体遮断性が大きいところから、脱酸素剤等の共存によって包装袋内を実質的な無酸素状態にすることも可能になる。
本発明のチャック付き包装袋は、高気密性の収納領域を有するので、各種用途に使用されて、商品の品質維持及び変質防止を備えて開閉の利便性を備えることになる。本発明のチャック付き包装袋は、例えば、腐敗及び酸化等を高レベルで防止して食品を保存できて、高レベルの防虫環境下で衣類の保存に有効であり、水蒸気によって容易に変質する商品（例えば、のり、茶等の食品、医薬品等）でも品質を維持して保存可能である。
本発明のチャック付き包装袋は、従来のチャック付き包装袋には収納不可能な食品（例えば、ミネラルウオ−タ−、調味料、ドレッシング、マヨネ−ズ、醤油等の液状食品）を収納して本来の用途に供することが可能である。
また、本発明のチャック付き包装袋は、臭いの遮断にも有効であるので、不快若しくは特殊な臭いを生ずる食品等（例えば、キムチ、家畜及びペッフ−ド等のエサ）の収納及び運搬にも有効である。
さらに、本発明のチャック付き包装袋は、そのチャックの密封性から、精密部品、電子機器等の精密包装に使用することが可能であって、各種の商品について気密容器と同等の目的で使用可能である。
なお、本発明のチャック付き包装袋は、包装袋の形態について特に制約がなく、例えば、二方シ−ル袋、三方シ−ル袋等、胴シ−ル袋（合掌シ−ル袋、封筒貼袋、スタンド袋、ガゼット袋等）若しくはインフレ−ション袋等のいずれの種類の包装袋の使用も可能である。
【００３３】
なお、本発明においては、本発明の目的に沿うものであって、本発明の効果を特に害さない限りにおいては、本発明の改変あるいは部分的な変更及び付加は任意であって、いずれも本発明の範囲である。本発明を実施例に基づいて具体的に説明するが、実施例は例示であって本発明を拘束するものではない。
【００３４】
【実施例】
〈実施例１〉
図１及び図２に示すのと同様のチャックを三方シ−ルのプラスチック包装袋（外形寸法２２０ｍｍ×３１５ｍｍ）に付けたチャック付き包装袋を１０個作成した。チャックは直鎖状低密度ポリエチレンから異型押出し成形法により成形して包装袋の基材フィルムにヒ−トシ−ルして固着した。包装袋の基材フィルムはナイロン／直鎖状低密度ポリエチレンフィルムの積層フィルムであった。なお、以下においてこのチャック付き包装袋を試験包装袋Ａという。
試験用包装袋については、窒素気体を封入して試験用包装袋内を酸素濃度０．１％にして約２５℃で放置してジルコニア式酸素濃度計により試験用包装袋内の酸素濃度を経日毎に測定して試験包装袋Ａの酸素透過量を求めた。表１は試験用包装袋の酸素透過量の測定値を示している。
【００３５】
【表１】
0003644869.tif 000002
【００３６】
〈実施例２〉
試験包装袋Ａからチャックを切除した包装袋を６個用意して、それらにも実施例１と同様に窒素気体を封入してから開口をヒ−トシ−ルした。そのヒ−トシ−ルした包装袋（以下において、比較包装袋という）の酸素透過量を実施例１と同様にして測定した。表２は、比較包装袋の酸素透過量の測定値を示している。
【００３７】
【表２】
0003644869.tif 000003
【００３８】
表１及び表２の測定を対比すると、表１の番号７の試験包装袋Ａ（酸素透過量が最も小さい試験包装袋Ａ）は、その酸素透過量が０．６０ml/ 袋・24hで、番号１、２、３、６の比較包装袋の酸素透過量が０．２９ml/ 袋・24hであるので、その差である０．３１ml/ 袋・24hがチャックを通過した酸素量である。従って、実施例１及び実施例２の実験結果からは、密封性能が大きいチャックでは気体遮断性が大きくなること、密封性能がそれよりも低いチャックでも工業実施に際しては高い気体遮断性を有することが判明した。
【００３９】
〈実施例３〉
実施例１と同様のチャックを三方シ−ルのプラスチック包装袋（外形寸法２２０ｍｍ×２７５ｍｍ）に付けたチャック付き包装袋を１６個作成した。チャックは実施例１と同様の方法により成形して包装袋の基材フィルムにヒ−トシ−ルして固着した。包装袋の基材フィルムは、ナイロンフィルム／直鎖状低密度ポリエチレンフィルムの積層フィルムであった。なお、以下においてこのチャック付き包装袋を試験包装袋Ｂという。この試験包装袋Ｂの酸素透過量を実施例１と同様の方法で測定した。表３は、酸素透過量の測定値を示している。表３の結果によれば、ほぼ表１と同様の結果が得られている。
【００４０】
【表３】
0003644869.tif 000004
【００４１】
〈実施例４〉
実施例１と同様のチャックを三方シ−ルのプラスチック包装袋（外形寸法２２０ｍｍ×２７５ｍｍ）に付けたチャック付き包装袋を３個作成した。包装袋の基材フィルムは、透明シリカ蒸着のポリエステルフィルム／ナイロンフィルム／直鎖状低密度ポリエチレンフィルムの積層フィルムであった。なお、以下においてこのチャック付き包装袋を試験包装袋Ｃという。試験包装袋Ｃの酸素透過量を実施例１と同様の方法で測定した。表４は酸素透過量の測定値を示している。表４の結果においても高い気体遮断性を示している。
【００４２】
【表４】
0003644869.tif 000005
【００４３】
【発明の効果】
第一の本発明のチャックによれば、下記（ｉ）〜（ｖ）に代表される様々な効果が得られる。
（ｉ）気体遮断性を有する密封性を備えるチャックが提供される。すなわち、外部環境から遮断した条件（例えば、無酸素状態）の商品収納領域を有する包装袋をチャックによる開閉形式にすることが可能になる。
（ｉｉ）咬合によって気体遮断性を有する密封性にして、かつ咬合及び離脱（すなわち、チャックの開閉）が円滑に行い得るチャックが提供される。
（ｉｉｉ）様々な形態の雌雌爪部によるチャックをして気体遮断性を有する密封性を備えるものにすることができる。
（ｉｖ）咬合に際して回復容易な程度な部分的な粘弾性変形が利用されることによって、チャックの開閉の繰り返しによってもチャックにおける気体遮断性を有する密封性が維持される。
（ｖ）雌雌爪部間の接触圧が低い場合であっても、チャックの密封性をして気体遮断性を有する程度にすることが可能であって、接触圧が高くすることによって密封性を容易に大きくすることが可能になる。
第二の本発明によるチャック付き包装袋によれば、下記（ａ）〜（ｄ）に代表される様々な効果が得られる。
（ａ）本発明のチャック付き包装袋は、包装袋の基材フィルムに気体不透過性フィルムが使用されることによって外部環境と遮断された条件で商品を保存運搬する等の性能を有することになる。
（ｂ）本発明のチャック付き包装袋は、酸素その他の気体の共存を排除する必要がある商品（例えば、腐敗の進行が早い食品、酸素その他の気体の存在によって不良率が大きくなる電子部品等）への使用が可能になる。
（ｃ）本発明のチャック付き包装袋は、包装袋内に脱酸素剤その他を収納することによって、従来のチャック付き包装袋では得られなかった性能（例えば、脱酸素剤を収納した場合における包装袋内の無酸素状態）を実現することが可能である。
（ｄ）本発明のチャック付き包装袋は、気密容器と同等の目的に使用することが可能になる。
【図面の簡単な説明】
【図１】本発明によるチャックの一例の側断面図である。
【図２】本発明によるチャックの一例の側断面の部分拡大説明図である。
【図３】本発明によるチャックの一例の部分拡大説明図である。
【図４】本発明のチャックの一例の側断面図である。
【図５】本発明のチャックの一例の側断面図である。
【図６】本発明のチャックの一例の側断面図である。
【図７】従来のチャック付き包装袋の説明図である。
【図８】従来のチャックの斜視図である。
【図９】従来の別のチャックの側断面図である。
【図１０】従来の別のチャックの側断面図である。
【図１１】従来の別のチャックの側断面図である。
【図１２】従来の別のチャックの側断面図である。
【符号の説明】
１ チャック
２ 雄部材
２ａ 雄爪部
３ 雌部材
３ａ 雌爪部
２０ 雄爪部
２１ 雌爪部
２１ａ 突部
２０ａ 窪み
２２ 接触部
３０ 雌爪部
３０ａ 突部
３１ 雄爪部
３１ａ 窪み
４０ チャック
４１ 雄部材
４１ａ 雄爪部
４２ 雌部材
４２ａ 雌爪部
５０ チャック
５１ 雄部材
５１ａ 雄爪部
５２ 雌部材
５２ａ 雌爪部
６０ チャック
６１ 雄爪部
６２ 雌爪部
【図１】
0003644869.tif 000006
【図２】
0003644869.tif 000007
【図３】
0003644869.tif 000008
【図４】
0003644869.tif 000009
【図５】
0003644869.tif 000010
【図６】
0003644869.tif 000011
【図７】
0003644869.tif 000012
【図８】
0003644869.tif 000013
【図９】
0003644869.tif 000014
【図１０】
0003644869.tif 000015
【図１１】
0003644869.tif 000016
【図１２】
0003644869.tif 000017